(57)【要約】【課題】機能部を制御する制御部を棚部内の収納空間に収納する場合に、棚部をコンパクト化できる水栓装置を提供する。【解決手段】ボウル部よりも上方に延びる壁面に設けられる水栓装置であって、水を吐水する吐水口を有する吐水部と、前記壁面から前方に突出するように設けられる棚部と、所定の機能を有する機能部と、前記機能部の動作を制御する制御部と、を備え、前記棚部は、前記制御部を収納するための収納空間を有し、前記制御部は、前方から後方に向けて下方に傾斜するように前記収納空間に配置されることを特徴とする水栓装置である。【選択図】図１
2019148094.tif 000002
【特許請求の範囲】
【請求項１】
ボウル部よりも上方に延びる壁面に設けられる水栓装置であって、
水を吐水する吐水口を有する吐水部と、
前記壁面から前方に突出するように設けられる棚部と、
所定の機能を有する機能部と、
前記機能部の動作を制御する制御部と、
を備え、
前記棚部は、前記制御部を収納するための収納空間を有し、
前記制御部は、前方から後方に向けて下方に傾斜するように前記収納空間に配置されることを特徴とする水栓装置。
【請求項２】
前記棚部は、前記収納空間と前記壁面との間に設けられる仕切り壁を有し、
前記仕切り壁は、前記収納空間を外部の空間と連通させる連通部を有し、
前記制御部は、前記連通部を介して前記外部の空間に侵入する配線部材を有し、
前記連通部は、前後方向において前記制御部と重なる位置に配置され、
前記収納空間は、前記制御部の後端と前記連通部との間に隙間を設けることを特徴とする請求項１記載の水栓装置。
【発明の詳細な説明】
【技術分野】
【０００１】
本発明の態様は、一般的に、水栓装置に関する。
【背景技術】
【０００２】
壁面から前方に突出して設けられる棚部と、棚部の下部に設けられ、棚部の下方に向けて水を吐水する吐水部と、を備え、吐水部の少なくとも一部を棚部内に収容した水栓装置が知られている（例えば、特許文献１）。このような水栓装置では、吐水部の全体を使用者から見えなくすることができ、水栓装置のデザイン性を向上させることができる。
【０００３】
また、棚部の上面に小物を置くことができるため、例えば、洗顔の際などに、使用者が眼鏡や化粧品などの小物を棚部の上面に置くことができ、使用者の使い勝手を向上させることもできる。
【０００４】
一方で、近年では、水栓装置まわりにおいて、自動水栓機能などの様々な機能が求められている。例えば、特許文献２では、自動水栓の機能を備えた水栓装置を開示している。特許文献２の水栓装置では、自動水栓の制御を行う制御部を収納する空間が形成されており、その空間をカバーで覆うように構成している。
【０００５】
棚部を備えた水栓装置に自動水栓機能などの機能部を設ける場合、この機能部の動作を制御するための制御部を棚部内の収納空間に収納することが考えられる。これにより、使用者が制御部に触れてしまうことを抑制することができる。また、棚部に設けられた機能部と制御部との配線作業などを省くことができ、水栓装置の施工性を向上させることもできる。
【０００６】
しかしながら、制御部を単純に収納空間内に収納しただけでは、棚部の大型化を招いてしまう可能性がある。例えば、制御部を水平方向と平行となるように収納空間に配置しようとすると、少なくとも制御部の前後方向の長さ寸法が棚部に必要となってしまう。
【０００７】
このため、水栓装置では、機能部を制御する制御部を棚部内の収納空間に収納する場合に、棚部をコンパクト化できるようにすることが望まれる。
【先行技術文献】
【特許文献】
【０００８】
【特許文献１】特開２００３−１８４１３９号公報
【特許文献２】特開２０１７−０９９４４３号公報
【発明の概要】
【発明が解決しようとする課題】
【０００９】
本発明は、かかる課題の認識に基づいてなされたものであり、機能部を制御する制御部を棚部内の収納空間に収納する場合に、棚部をコンパクト化できる水栓装置を提供することを目的とする。
【課題を解決するための手段】
【００１０】
第１の発明は、ボウル部よりも上方に延びる壁面に設けられる水栓装置であって、水を吐水する吐水口を有する吐水部と、前記壁面から前方に突出するように設けられる棚部と、所定の機能を有する機能部と、前記機能部の動作を制御する制御部と、を備え、前記棚部は、前記制御部を収納するための収納空間を有し、前記制御部は、前方から後方に向けて下方に傾斜するように前記収納空間に配置されることを特徴とする水栓装置である。
【００１１】
この水栓装置によれば、制御部が、前方から後方に向けて下方に傾斜するように収納空間に配置されるため、制御部を水平方向と平行となるように収納空間に配置する場合などと比べて、水栓装置の前後方向の長さを短くすることができる。従って、機能部を制御する制御部を棚部内の収納空間に収納する場合に、棚部をコンパクト化できる水栓装置を提供することができる。
【００１２】
第２の発明は、第１の発明において、前記棚部は、前記収納空間と前記壁面との間に設けられる仕切り壁を有し、前記仕切り壁は、前記収納空間を外部の空間と連通させる連通部を有し、前記制御部は、前記連通部を介して前記外部の空間に侵入する配線部材を有し、前記連通部は、前後方向において前記制御部と重なる位置に配置され、前記収納空間は、前記制御部の後端と前記連通部との間に隙間を設けることを特徴とする水栓装置である。
【００１３】
例えば、配線部材を連通部に通しやすくするために、制御部と連通部とを上下にずらして配置すると、水栓装置の上下方向の厚みが大きくなってしまう。一方、水栓装置の上下方向の厚みを抑えるために、制御部と連通部とが前後に重なるように配置すると、連通部の一部が制御部によって塞がれてしまい、配線部材を連通部に通し難くなってしまう。これに対して、この水栓装置では、連通部が、前後方向において制御部と重なる位置に配置され、かつ収納空間が、制御部の後端と連通部との間に隙間を設ける。これにより、水栓装置の前後方向の長さ及び上下方向の厚みを大きくすることを抑制しながらも、配線部材を連通部を介して収納空間外に通し易くすることができる。
【発明の効果】
【００１４】
本発明の態様によれば、機能部を制御する制御部を棚部内の収納空間に収納する場合に、棚部をコンパクト化できる水栓装置が提供される。
【図面の簡単な説明】
【００１５】
【図１】実施形態に係る水栓装置を設置した洗面化粧台を模式的に表す斜視図である。
【図２】図２（ａ）及び図２（ｂ）は、実施形態に係る水栓装置を模式的に表す斜視図及び正面図である。
【図３】実施形態に係る水栓装置を模式的に表すブロック図である。
【図４】図４（ａ）及び図４（ｂ）は、実施形態に係る棚部の内部を模式的に表す平面図である。
【図５】実施形態に係る棚部の内部を模式的に表す断面図である。
【発明を実施するための形態】
【００１６】
以下、本発明の実施形態について図面を参照しつつ説明する。なお、各図面中、同様の構成要素には同一の符号を付して詳細な説明は適宜省略する。  
図１は、実施形態に係る水栓装置を設置した洗面化粧台を模式的に表す斜視図である。  図１に表したように、洗面化粧台１００は、洗面器１０２と、水栓装置１０と、支持台１０６と、ミラーキャビネット１０８と、照明装置１１０と、を備える。
【００１７】
なお、本願明細書では、水栓装置１０と向き合う使用者からみて手前側を「前方」とし、奥側を「後方」とし、上側を「上方」とし、下側を「下方」とし、右側を「右側方」とし、左側を「左側方」とする。
【００１８】
洗面器１０２は、ボウル部１２２と、バックガード部１２４と、を有する。ボウル部１２２は、下方に向かって凹んだ凹状に形成されている。ボウル部１２２は、排水口（不図示）を有する。排水口は、ボウル部１２２の底部に設けられる。排水口は、排水管に接続され、ボウル部１２２に吐出された水を排水管に流す。
【００１９】
バックガード部１２４は、ボウル部１２２の後端から上方に延びる。バックガード部１２４は、必要に応じて設けられ、省略可能である。洗面器１０２の形状は、少なくともボウル部１２２を有する任意の形状でよい。
【００２０】
洗面器１０２は、支持台１０６の上に設けられる。支持台１０６は、洗面器１０２を支持する。支持台１０６は、例えば、本体部１０６ａと、２つの引き出し１０６ｂ、１０６ｃと、を有する。各引き出し１０６ｂ、１０６ｃは、内部に物品を収納可能とする。
【００２１】
このように、支持台１０６は、物品を収納可能なキャビネットとしても機能する。支持台１０６は、換言すれば、下部キャビネット（フロアキャビネット）である。なお、引き出しの数は、２つに限ることなく、１つでもよいし、３つ以上でもよい。また、支持台１０６は、引き出し式のキャビネットに限ることなく、扉式のキャビネットでもよい。
【００２２】
支持台１０６は、必ずしも収納機能を有していなくてもよい。支持台１０６は、洗面器１０２を支持可能な任意の構成でよい。また、洗面器１０２は、例えば、洗面所などの壁面に直接取り付けてもよい。すなわち、支持台１０６は、必要に応じて設けられ、省略可能である。
【００２３】
水栓装置１０は、ボウル部１２２よりも上方に延びる壁面ＷＳに設けられる。水栓装置１０は、例えば、洗面器１０２のバックガード部１２４に取り付けられ、ボウル部１２２の上方に配置される。これにより、水栓装置１０は、洗面器１０２のボウル部１２２に向けて水を吐出する。本願明細書において、「前方」は、換言すれば、壁面ＷＳの向く方向である。
【００２４】
水栓装置１０の取付位置は、上記に限ることなく、例えば、洗面器１０２の後部上方に設けられる取付パネル（バックパネル）などに取り付けてもよいし、洗面所などの壁面に直接取り付けてもよい。水栓装置１０の取付位置は、ボウル部１２２内に水を吐出可能な任意の位置でよい。水栓装置１０の取付位置は、ボウル部１２２よりも上方に延びる任意の壁面ＷＳでよい。水栓装置１０の取付位置は、洗面器１０２の形状などに応じて適宜設定すればよい。
【００２５】
ミラーキャビネット１０８は、ボウル部１２２を有する洗面器１０２よりも上方に設置される。ミラーキャビネット１０８は、キャビネット本体１３０と、３枚の扉１３１〜１３３と、を有する。キャビネット本体１３０は、前方を開口させた略直方体の開口箱状であり、内部に物品を収納可能とする。また、各扉１３１〜１３３の前面には、鏡１３１ａ〜１３３ａが設けられている。なお、ミラーキャビネット１０８に設けられる扉及び鏡の数は、３枚に限ることなく、１枚又は２枚でもよいし、４枚以上でもよい。
【００２６】
照明装置１１０は、ミラーキャビネット１０８の上部に設けられている。照明装置１１０は、例えば、ミラーキャビネット１０８において各扉１３１〜１３３よりも上方に設けられる。照明装置１１０は、下方に向かって光を照射し、各扉１３１〜１３３（各鏡１３１ａ〜１３３ａ）、及びボウル部１２２を照らす。照明装置１１０は、ミラーキャビネット１０８の上部に限ることなく、ミラーキャビネット１０８の下部や側端部、内部に設けてもよい。
【００２７】
図２（ａ）及び図２（ｂ）は、実施形態に係る水栓装置を模式的に表す斜視図及び正面図である。  
図２（ａ）及び図２（ｂ）に表したように、水栓装置１０は、吐水部１２と、操作部１４と、棚部１６と、を備える。
【００２８】
吐水部１２は、ボウル部１２２へ水を吐出する。吐水部１２は、いわゆるスパウトである。吐水部１２には、水を吐出する吐水口１２ａが設けられている。操作部１４は、吐水部１２から吐出される水の流量を調整する。また、操作部１４は、吐水部１２から吐出される水の温度を調整する。
【００２９】
操作部１４は、操作レバー１４ａを有する。操作部１４は、使用者による操作レバー１４ａの操作に応じて、吐水部１２から吐出される水の流量及び温度を調整する。操作レバー１４ａは、例えば、前後方向及び左右方向に揺動可能に上端部を操作部１４の本体部分に軸支される。例えば、操作レバー１４ａを前後方向に揺動させることにより、吐水部１２から吐出される水の流量が調整され、操作レバー１４ａを左右方向に揺動させることにより、吐水部１２から吐出される水の温度が調整される。操作部１４における流量及び温度の調整の態様は、操作レバー１４ａに限ることなく、流量及び温度を調整可能な任意の態様でよい。
【００３０】
吐水部１２は、操作部１４に設けられた湯水混合部などを介して支持台１０６の内部空間などに設けられた給水管及び給湯管に接続される。吐水部１２から吐出される水は、例えば、上水（水道水）である。吐水部１２から吐出される水の温度調整は、操作部１４とは別の調整部で行ってもよい。操作部１４は、少なくとも吐水部１２から吐出される水の流量を調整できればよい。
【００３１】
棚部１６は、壁面ＷＳから前方に突出するように設けられる。棚部１６は、上面１６ａと、前面１６ｂと、底面１６ｃと、を有する。上面１６ａは、例えば、略水平な面である。棚部１６は、上面１６ａの上に洗面用具や眼鏡などの物品を載置可能とする。
【００３２】
前面１６ｂは、棚部１６の上部に設けられる。この例において、前面１６ｂは、略鉛直面である。換言すれば、前面１６ｂは、前方を向く略垂直な面である。前面１６ｂは、後方に向かって上昇傾斜した傾斜面でもよい。前面１６ｂは、鉛直面又は後方に向かって上昇傾斜した傾斜面であればよい。底面１６ｃは、例えば、前面１６ｂの下端から後方に向かって下降傾斜する傾斜面状である。但し、前面１６ｂは、必要に応じて設けられ、省略可能である。例えば、後方に向かって下降傾斜する底面１６ｃを、上面１６ａの前端から設けてもよい。
【００３３】
吐水部１２及び操作部１４は、棚部１６の下部に設けられる。吐水部１２は、棚部１６の下方に向けて水を吐出する。操作部１４の操作レバー１４ａは、棚部１６から下方に向かって延びる。棚部１６は、吐水部１２及び操作部１４の上方を覆う。
【００３４】
吐水部１２、操作部１４、及び棚部１６は、例えば、それぞれ個別に壁面ＷＳ（バックガード部１２４の前面）に取り付けられる。これにより、例えば、メンテナンスの際などに、吐水部１２及び操作部１４を壁面ＷＳに取り付けた状態のまま、棚部１６のみを壁面ＷＳから取り外すことができ、水栓装置１０のメンテナンス性を向上させることができる。また、例えば、制御部３０（図３参照）などの電子機器を棚部１６の内部に収納する場合、上記のような構成とすることで、吐水部１２及び操作部１４を壁面ＷＳから取り外すことなく、棚部１６のみを壁面ＷＳ取り外すだけで、制御部３０などの電子機器のメンテナスを行うこともできる。但し、吐水部１２及び操作部１４は、棚部１６に取り付け、棚部１６を介して壁面ＷＳに取り付けてもよい。
【００３５】
吐水部１２は、壁面ＷＳ又は棚部１６に固定された固定式であってもよいし、壁面ＷＳ又は棚部１６から取り外すことができるプルアウト式であってもよい。プルアウト式の吐水部１２は、例えば、可撓性を有するホースに接続されており、吐水部１２が壁面ＷＳ又は棚部１６に取り付けられた状態においては、ホースはバックガード部１２４の裏側の空間などに収納されている。吐水部１２を壁面ＷＳ又は棚部１６から取り外し、ホースを引き出すことにより、吐水部１２をハンドシャワーとして用いることができる。
【００３６】
水栓装置１０は、機能水吐出部２０と、機能水照射部２２と、センサ部２４と、を有する。機能水吐出部２０は、除菌作用を有する機能水をボウル部１２２に吐出する。機能水吐出部２０は、棚部１６の下部に設けられ、下方に向けて機能水を吐出する。機能水吐出部２０は、例えば、ボウル部１２２の排水口に向けて機能水を吐出する。
【００３７】
水栓装置１０では、例えば、機能水吐出部２０からボウル部１２２に機能水を吐出することにより、ボウル部１２２の排水口や排水口の内部における菌の繁殖を抑えることができる。洗面化粧台１００及び水栓装置１０では、例えば、排水口及び排水口の内部の除菌を行い、洗面器１０２を清潔に保つことができる。また、歯ブラシやコップなどに機能水を吐出することにより、これらの除菌を行うこともできる。
【００３８】
機能水吐出部２０は、例えば、機能水を霧状にしてボウル部１２２に噴霧する。機能水吐出部２０は、例えば、ミストノズルである。機能水吐出部２０から噴霧される霧状の機能水の外径（広がりの幅）は、機能水吐出部２０の噴霧口の開口径よりも大きい。機能水吐出部２０は、例えば、円錐状に機能水を噴霧する。これにより、例えば、ボウル部１２２の広範囲に機能水を付着させることができ、洗面器１０２をより適切に除菌することができる。機能水吐出部２０からの機能水の吐出の形態は、霧状に限ることなく、液滴状や水流状でもよい。
【００３９】
機能水照射部２２は、機能水吐出部２０と並べて棚部１６の下部に設けられている。また、機能水照射部２２は、下方に向けて設けられている。機能水照射部２２は、機能水吐出部２０から機能水を吐出する際に点灯する。機能水照射部２２は、機能水吐出部２０から吐出されている最中の機能水のうちで機能水吐出部２０よりも下方の所定範囲に存在する機能水に光を照射する。これにより、機能水照射部２２は、機能水の吐出が行われていることを使用者に報知するとともに、吐出されている機能水を見易くする。機能水照射部２２から光を照射することにより、例えば、機能水吐出部２０から霧状に噴霧されている機能水を見易くすることができる。
【００４０】
機能水照射部２２は、例えば、円錐状に光を照射する。機能水照射部２２の光の照射範囲は、機能水吐出部２０の機能水の吐出範囲（噴霧範囲）よりも広い。換言すれば、機能水照射部２２の光の照射角度は、機能水吐出部２０の機能水の吐出角度（噴霧角度）よりも広い。これにより、機能水照射部２２は、機能水吐出部２０から吐出されている最中の機能水のうちで機能水吐出部２０よりも下方の所定範囲に存在する機能水の略全体に光を照射する。機能水照射部２２は、機能水吐出部２０から吐出され、所定位置よりも下方に降下する機能水の略全体に光を照射する。これにより、吐出されている機能水をより見易くすることができる。
【００４１】
センサ部２４は、棚部１６の下方の領域で且つ吐水部１２の近傍に存在する手を検知する。センサ部２４は、例えば、ボウル部１２２内又はボウル部１２２の上方に差し出された使用者の手を検知する。センサ部２４は、例えば、ボウル部１２２と吐水部１２との間に差し出された使用者の手を検知する。
【００４２】
水栓装置１０は、センサ部２４による手の検知に応じて、吐水部１２から水を吐出させる。また、水栓装置１０は、センサ部２４による手の検知の停止に応じて、吐水部１２からの水の吐出を停止させる。このように、水栓装置１０は、操作部１４の手動操作に応じて吐水部１２から水を吐止水するとともに、センサ部２４の検知結果に応じて、吐水部１２から自動的に水を吐止水する。水栓装置１０は、いわゆる自動水栓の機能を有する。
【００４３】
水栓装置１０は、機能水操作スイッチ２６と、自動吐水切替スイッチ２７と、温水準備スイッチ２８と、を有する。各スイッチ２６〜２８は、棚部１６の前面１６ｂに設けられている。各スイッチ２６〜２８の位置は、前面１６ｂに限ることなく、棚部１６の任意の位置でよい。各スイッチ２６〜２８には、例えば、タッチセンサや押しボタンスイッチなどが用いられる。各スイッチ２６〜２８は、スライド式のスイッチやレバーなどでもよく、操作指示の入力が可能な任意の部材でよい。
【００４４】
機能水操作スイッチ２６は、機能水吐出部２０からの機能水の吐止水の切り替えに用いられる。水栓装置１０は、使用者による機能水操作スイッチ２６の操作に応じて機能水吐出部２０から機能水を吐出する。水栓装置１０は、例えば、機能水操作スイッチ２６の操作に応じて機能水の噴霧を所定時間（例えば、１０秒間）行い、所定時間の経過に応じて自動的に機能水の噴霧を停止する。
【００４５】
水栓装置１０は、例えば、機能水操作スイッチ２６の１回目の操作で機能水の噴霧を行い、機能水操作スイッチ２６の２回目の操作で機能水の噴霧を停止させてもよい。例えば、所定時間の経過などにより、機能水操作スイッチ２６の操作とは無関係に機能水吐出部２０から自動的に機能水を噴霧してもよい。以下では、機能水操作スイッチ２６の操作に応じて行う機能水の噴霧を「手動吐水」、機能水操作スイッチ２６の操作とは無関係に行う機能水の噴霧を「自動吐水」と称す。
【００４６】
自動吐水機能のオン・オフは、例えば、機能水操作スイッチ２６の操作によって切り替えられる。例えば、自動吐水機能がオフに設定されている状態で機能水操作スイッチ２６を長押しする（所定時間押し続ける）ことにより、オンに設定される。そして、自動吐水機能がオンに設定されている状態で機能水操作スイッチ２６を長押しすることにより、オフに設定される。
【００４７】
また、水栓装置１０は、例えば、自動吐水機能を開始する直前に機能水照射部２２を点滅させることにより、自動吐水機能が開始されることを使用者に報知する。使用者への報知方法としては、点滅以外に点灯するものや明滅するものであってもよい。吐水が行われているか否かの報知、及び自動吐水開始の報知は、光の照射に限ることなく、例えば、音声などで行ってもよい。これらの報知は、報知が可能な任意の態様でよい。
【００４８】
自動吐水切替スイッチ２７は、操作部１４の手動操作に応じて吐水部１２から水を吐止水する手動吐水と、センサ部２４の検知結果に応じて吐水部１２から自動的に水を吐止水する自動吐水と、の切り替えに用いられる。すなわち、自動吐水切替スイッチ２７の操作に応じて、吐水部１２の手動吐水と自動吐水とが切り替えられる。
【００４９】
温水準備スイッチ２８は、吐水部１２からの温水の吐水に用いられる。水栓装置１０は、温水準備スイッチ２８が操作されると、操作部１４で設定された所定の温度の温水が吐水部１２から吐水されるまで、吐水部１２から水又は温水を吐水する。換言すれば、水栓装置１０は、温水準備スイッチ２８が操作されると、給水源及び給湯源から吐水部１２の吐水口１２ａまでの配管内の水が、温水に置換されるまで、吐水部１２から水又は温水を吐水する。
【００５０】
これにより、例えば、吐水部１２から吐水される水が温水に変わったか否かを、使用者が水に手指を当てて実際に確認する手間を省くことができ、水栓装置１０の利便性をより向上させることができる。
【００５１】
水栓装置１０は、温水準備スイッチ２８が操作され、吐水部１２からの吐水を開始した後、吐水部１２から吐水される水の温度が所定の温度に達したことに応答して、吐水部１２からの吐水を停止する。また、水栓装置１０は、温水準備スイッチ２８が操作され、吐水部１２からの吐水を開始した後、所定時間経過しても、吐水部１２から吐水される水の温度が所定の温度に達しなかった場合に、吐水部１２からの吐水を停止する。これにより、例えば、操作部１４や給湯器の操作ミスなどで温度が上昇しなかった場合に、吐水部１２から水が出続けてしまうことを抑制することができる。
【００５２】
図３は、実施形態に係る水栓装置を模式的に表すブロック図である。  
図３に表したように、水栓装置１０は、制御部３０と、電源回路３２と、電磁弁３４、３５と、分岐金具３６と、温度センサ３８と、電磁弁４０と、機能水生成部４２と、照明部４４と、をさらに有する。電源回路３２、電磁弁３４、３５、４０、分岐金具３６、及び機能水生成部４２は、例えば、棚部１６とは別に、支持台１０６の内部などに収容される。これらの各部は、棚部１６内に設けてもよい。
【００５３】
制御部３０は、水栓装置１０の各部を制御する。制御部３０は、センサ部２４、及び各スイッチ２６〜２８と接続されている。制御部３０は、センサ部２４、及び各スイッチ２６〜２８などからの入力に応じて、水栓装置１０の各部を制御する。
【００５４】
電源回路３２は、電力源ＰＳに接続される。電源回路３２は、電力源ＰＳから供給された電力を変換し、変換後の電力を制御部３０などに供給する。電力源ＰＳは、例えば、ＡＣ１００Ｖ（実効値）の商用電源である。電源回路３２は、例えば、電力源ＰＳから供給される交流電力を、制御部３０などに対応した直流電力に変換し、変換後の直流電力を制御部３０などの各部に供給する。制御部３０などの各部は、電源回路３２からの電力供給に応じて動作する。
【００５５】
センサ部２４は、制御部３０に接続され、検知結果を制御部３０に入力する。センサ部２４には、例えば、投光部と受光部とを有する赤外線測距センサが用いられる。センサ部２４には、例えば、焦電センサや超音波センサなどを用いてもよい。センサ部２４は、例えば、赤外線などの電磁波や超音波などの信号波を基に、人体や手などを非接触で検知可能な任意のセンサでよい。
【００５６】
制御部３０は、センサ部２４による手の検知に応じて、吐水部１２から水を吐出させる。また、制御部３０は、センサ部２４による手の検知の停止に応じて、吐水部１２からの水の吐出を停止させる。これにより、前述のように、自動吐水の制御が行われる。
【００５７】
電磁弁３４は、止水栓５０を介して給湯管などの給湯源ＨＳに接続されている。電磁弁３５は、分岐金具３６及び止水栓５１を介して給水管などの給水源ＭＳに接続されている。電磁弁３４、３５は、操作部１４に接続されている。また、電磁弁３４、３５は、制御部３０に接続されている。制御部３０は、電磁弁３４、３５の開閉を制御する。電磁弁３４、３５を開状態とすることにより、給水源ＭＳから供給された水、及び給湯源ＨＳから供給されたお湯が、操作部１４に供給される。
【００５８】
操作部１４は、流量調整弁１４ｂをさらに有する。操作レバー１４ａは、流量調整弁１４ｂに接続され、流量調整弁１４ｂの開弁量を調整する。流量調整弁１４ｂは、操作レバー１４ａで設定された開弁量に基づいて、給水源ＭＳから供給された水、及び給湯源ＨＳから供給されたお湯のそれぞれの流量を調整する。そして、流量調整弁１４ｂは、流量調整後の水及びお湯を混合して吐水部１２に供給する。これにより、吐水部１２から吐出される水の流量及び温度が調整される。
【００５９】
制御部３０は、自動吐水切替スイッチ２７によって手動吐水が設定されている場合、電磁弁３４、３５を開状態とする。これにより、手動吐水の状態では、操作部１４の操作に応じて、吐水部１２から水が吐水される。
【００６０】
一方、制御部３０は、自動吐水切替スイッチ２７によって自動吐水が設定されている場合、センサ部２４の検知結果に応じて電磁弁３４、３５の開閉を制御する。この際、操作部１４の操作レバー１４ａは、流量調整弁１４ｂを所定の流量で開いた状態としておく。これにより、自動吐水の状態では、センサ部２４の検知結果に応じて、吐水部１２から水が吐水される。
【００６１】
温度センサ３８は、吐水部１２と流量調整弁１４ｂとの間の経路上に設けられ、吐水部１２から吐水される水の温度を検知する。温度センサ３８は、制御部３０に接続され、検知結果を制御部３０に入力する。
【００６２】
制御部３０は、温度センサ３８の検知結果を基に、前述の温水準備の動作を行う。温水準備の動作を行う場合、使用者は、自動吐水を設定した後に温水準備スイッチ２８を操作するか、あるいは、温水準備スイッチ２８を操作した後に、操作部１４の操作レバー１４ａを操作して流量調整弁１４ｂを開状態にする。
【００６３】
制御部３０は、温水準備スイッチ２８の操作に応答して、電磁弁３４、３５を開状態とし、吐水部１２からの吐水を開始した後、温度センサ３８の検知結果を基に、吐水部１２から吐水される水の温度が所定の温度に達したか否かを判定する。制御部３０は、所定の温度に達したと判定した場合に、電磁弁３４、３５を閉状態とし、吐水部１２からの吐水を停止させる。また、制御部３０は、所定時間経過しても、所定の温度に達しなかった場合にも、電磁弁３４、３５を閉状態とし、吐水部１２からの吐水を停止させる。
【００６４】
電磁弁４０は、分岐金具３６及び止水栓５１を介して給水源ＭＳに接続されている。電磁弁４０は、機能水生成部４２に接続されている。また、電磁弁４０は、制御部３０に接続されている。制御部３０は、電磁弁４０の開閉を制御する。電磁弁４０を開状態とすることにより、給水源ＭＳから供給された水が、機能水生成部４２に供給される。
【００６５】
機能水生成部４２は、電磁弁４０から供給された水（水道水）から機能水を生成し、生成した機能水を機能水吐出部２０に供給する。また、機能水生成部４２は、制御部３０に接続されている。機能水生成部４２における機能水の生成は、制御部３０によって制御される。
【００６６】
制御部３０は、機能水操作スイッチ２６からの操作指示の入力に応じて、電磁弁４０を開くとともに、機能水生成部４２を動作させる。これにより、使用者の機能水操作スイッチ２６の操作に応じて、機能水が、機能水吐出部２０からボウル部１２２に吐出される。また、制御部３０は、機能水の吐出に応じて機能水照射部２２を点灯させ、前述のように、機能水吐出部２０から吐出された機能水を照らす。
【００６７】
機能水生成部４２は、例えば、電解槽を有する。電解槽の内部には、陽極板および陰極板が設けられている。機能水生成部４２は、制御部３０から送信される信号に基づいて、電解槽の内部を流れる水道水や雑用水を電気分解する。ここで、水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。そのため、塩化物イオンを電気分解することにより次亜塩素酸が生成される。その結果、機能水生成部４２において電気分解された水（電解水）は、次亜塩素酸を含む液（機能水）に変化する。次亜塩素酸は、例えば、消臭成分あるいは殺菌成分として機能する。次亜塩素酸を含む液は、一般細菌などを減らしたりすることができる。
【００６８】
なお、本実施形態の機能水生成部４２は、次亜塩素酸を含む液を生成することに限定されるわけではない。機能水生成部４２において生成される機能水は、銀イオンや銅イオンなどの金属イオンを含む液であってもよい。あるいは、機能水生成部４２において生成される機能水は、電解塩素やオゾンなどを含む液であってもよい。あるいは、機能水生成部４２において生成される機能水は、酸性水やアルカリ水であってもよい。また、機能水生成部４２は、電解槽と、陽極板と、陰極板と、を有する電解槽ユニットに限定されるわけではない。
【００６９】
照明部４４は、例えば、棚部１６内に設けられている。棚部１６は、光透過窓４６を有する（図２（ｂ）参照）。光透過窓４６は、棚部１６の底面１６ｃに設けられている。照明部４４は、棚部１６内において光透過窓４６と対向して配置され、光透過窓４６を介して棚部１６の外部に光を照射する。光透過窓４６は、例えば、照明部４４の照射する光（可視光）に対して、光透過性と光拡散性とを有する。
【００７０】
光透過窓４６は、非光透過性の棚部１６内に設けられた照明部４４の光を棚部１６の外部に出射させるとともに、棚部１６の底面１６ｃに設けられた開口を塞ぐ。これにより、照明部４４を棚部１６内に設けた場合にも、棚部１６内への水の侵入を抑制することができる。例えば、水栓装置１０の美観の低下を抑制することもできる。光透過窓４６には、例えば、半透明（乳白色）の樹脂材料が用いられる。光透過窓４６は、換言すれば、光拡散板である。
【００７１】
照明部４４は、下方に向かって光を照射し、光透過窓４６を透過させることにより、棚部１６の鉛直下方の領域を照らす。このように、照明部４４は、棚部１６に設けられ、棚部１６から下方に向かって光を照射することにより、棚部１６の鉛直下方の領域を照らす。換言すれば、照明部４４は、棚部１６の直下の領域を照らす。棚部１６の鉛直下方の領域は、照明部４４によって照らされる。
【００７２】
照明部４４は、棚部１６の鉛直下方の領域を照らすことにより、吐水部１２及び吐水部１２から吐出された水の周囲を消灯時よりも明るくする。換言すれば、吐水部１２は、照明部４４の光で照らされる位置に水を吐出する。吐水部１２は、照明部４４によって照らされる棚部１６の下方の領域に水を吐出する。吐水部１２は、例えば、ボウル部１２２のうち、照明部４４の光で照らされる位置に水を吐出する。また、センサ部２４の検知範囲の少なくとも一部は、棚部１６の下方において照明部４４による光で照らされる位置に設けられる。これにより、夜間など洗面化粧台１００が設置された空間が暗い場合であっても、吐水部１２及び吐水部１２から吐出された水を視認し易くし、使い勝手を向上させることができる。
【００７３】
照明部４４及び光透過窓４６の数は、１つに限ることなく、２つ以上でもよい。すなわち、水栓装置１０は、複数の照明部４４及び複数の光透過窓４６を有してもよい。また、光透過窓４６は、必要に応じて設けられ、省略可能である。例えば、照明部４４は、棚部１６の外面に取り付けてもよい。照明部４４の取付位置は、上記に限ることなく、棚部１６の鉛直下方の領域を照明可能な任意の位置でよい。
【００７４】
このように、水栓装置１０は、機能水照射部２２、電磁弁３４、３５、４０、機能水生成部４２、照明部４４など、所定の機能を有する機能部を有する。水栓装置１０は、例えば、機能の異なる複数の機能部を有する。制御部３０は、これらの各機能部の動作を制御する。なお、水栓装置１０に含まれる機能部は、上記に限ることなく、制御部３０によって制御される任意の機能部でよい。
【００７５】
図４（ａ）及び図４（ｂ）は、実施形態に係る棚部の内部を模式的に表す平面図である。  
図５は、実施形態に係る棚部の内部を模式的に表す断面図である。  
図５は、図４（ａ）のＡ１−Ａ２線断面を模式的に表す。  
図４（ａ）、図４（ｂ）、及び図５に表したように、棚部１６は、天板部６０と、底板部６２と、有する。天板部６０は、物品を載置可能な上面１６ａを形成する。底板部６２は、天板部６０の下方に取り付けられ、天板部６０の下方を覆う。なお、図４（ａ）及び図４（ｂ）では、便宜的に、天板部６０を取り外した状態を表している。
【００７６】
底板部６２は、例えば、上方及び後方を開放させた開口箱状である。これにより、底板部６２は、天板部６０とともに内部空間６４を形成する。棚部１６は、内部空間６４を有し、後方を開放させた開口箱状である。棚部１６の後方の開口は、壁面ＷＳによって塞がれる。
【００７７】
底板部６２は、前面１６ｂと底面１６ｃとを形成する。前面１６ｂは、例えば、天板部６０で形成してもよい。前面１６ｂは、例えば、天板部６０及び底板部６２とは別の部材で形成してもよい。
【００７８】
棚部１６は、制御部３０を収納するための収納空間６６を有する。収納空間６６は、内部空間６４の中に設けられる。棚部１６は、仕切り壁７０と、カバー７２と、をさらに有する。仕切り壁７０は、底板部６２の内底面６２ａから上方に向かって延びるように設けられる。仕切り壁７０は、例えば、底板部６２の内底面６２ａの一部を連続して囲むように延びる枠状である。
【００７９】
カバー７２は、仕切り壁７０の上に取り付けられ、枠状の仕切り壁７０の上方を塞ぐ。これにより、底板部６２の内底面６２ａの一部と仕切り壁７０とカバー７２とによって収納空間６６が形成される。なお、図４（ａ）は、カバー７２を取り付けた状態を模式的に表している。図４（ｂ）は、カバー７２を取り外した状態を模式的に表している。
【００８０】
収納空間６６は、水密性を有する。これにより、制御部３０の被水を抑制することができる。仕切り壁７０とカバー７２との間には、パッキン７４が設けられている。これにより、収納空間６６の水密性をより高めることができる。
【００８１】
また、収納空間６６には、例えば、センサ部２４、各スイッチ２６〜２８、及び照明部４４などがさらに収納される。これにより、これらの各部の被水も抑制することができる。制御部３０は、例えば、収納空間６６内において、センサ部２４、各スイッチ２６〜２８、及び照明部４４などと電気的に接続される。
【００８２】
仕切り壁７０の少なくとも一部は、水栓装置１０が壁面ＷＳに取り付けられた状態において、収納空間６６と壁面ＷＳとの間に位置する。換言すれば、仕切り壁７０の少なくとも一部は、収納空間６６と棚部１６の後端との間に位置する。これにより、仕切り壁７０は、収納空間６６を壁面ＷＳから離間させ、収納空間６６と壁面ＷＳとの間に空気層７６を設ける。但し、仕切り壁７０は、壁面ＷＳに接触してもよい。空気層７６は、必要に応じて設けられ、省略可能である。
【００８３】
仕切り壁７０は、連通部７０ａを有する。連通部７０ａは、壁面ＷＳに向かって筒状に延びる。換言すれば、連通部７０ａは、後方に向かって延びる筒状である。連通部７０ａは、収納空間６６を外部の空間と連通させる。連通部７０ａは、例えば、収納空間６６を壁面ＷＳの裏側の空間と連通させる。より詳しくは、連通部７０ａは、収納空間６６をバックガード部１２４の裏側の空間を介して支持台１０６の内部空間と連通させる。連通部７０ａは、前後方向において制御部３０と重なる位置に配置される。但し、連通部７０ａは、必ずしも筒状でなくてもよい。例えば、仕切り壁７０が壁面ＷＳと接している場合などには、連通部７０ａを貫通孔状に形成してもよい。
【００８４】
連通部７０ａの後端には、パッキン７８が設けられている。パッキン７８は、連通部７０ａと壁面ＷＳとの間に設けられる。パッキン７８は、水栓装置１０が壁面ＷＳに取り付けられた状態において、連通部７０ａと壁面ＷＳとに挟まれて押し潰されることにより、連通部７０ａと壁面ＷＳとの間に隙間が生じることを抑制する。これにより、連通部７０ａによって収納空間６６を外部の空間と連通させた場合にも、収納空間６６の水密性を維持することができる。
【００８５】
制御部３０は、連通部７０ａを介して外部の空間に侵入する配線部材８０を有する。制御部３０は、例えば、基板８２と、基板８２を支持する支持体８４と、をさらに有する。基板８２は、種々の電子部品が実装された実装面８２ａを有する。制御部３０は、基板８２の実装面８２ａに実装された各電子部品により、水栓装置１０の各部の動作を制御する。支持体８４は、基板８２を支持し、基板８２を収納空間６６内の所定の位置に保持する。
【００８６】
配線部材８０の一端は、基板８２に接続される。配線部材８０の一端は、基板８２に固定されていてもよいし、基板８２に着脱可能に接続してもよい。配線部材８０の他端は、例えば、連通部７０ａを介して支持台１０６の内部空間に侵入し、支持台１０６内において電磁弁３４、３５、４０、及び機能水生成部４２などと接続される。制御部３０は、配線部材８０を介して電磁弁３４、３５、４０、及び機能水生成部４２と電気的に接続される。配線部材８０の他端は、例えば、外部の空間に設けられた機能部と接続される。これにより、制御部３０を収納空間６６内に設けた場合にも、電磁弁３４、３５、４０や機能水生成部４２などの、外部の空間に設けられた機能部の動作を制御することができる。
【００８７】
図５に表したように、制御部３０は、前方から後方に向けて下方に傾斜するように収納空間６６に配置される。制御部３０は、例えば、基板８２の実装面８２ａが、前方から後方に向けて下方に傾斜するように収納空間６６に配置される。
【００８８】
前述のように、底面１６ｃは、前面１６ｂの下端から後方に向かって下降傾斜する傾斜面状である。底板部６２の内底面６２ａは、底面１６ｃと同様に、後方に向かって下降傾斜する傾斜面状である。このため、棚部１６の内部空間６４及び収納空間６６の高さは、後方に向かって高くなる。このように、底面１６ｃ及び内底面６２ａを傾斜させることにより、例えば、棚部１６の前端側の厚みを抑えつつ、棚部１６の後端側において内部空間６４及び収納空間６６の適切な容積を確保することができる。例えば、棚部１６が全体的に厚い略矩形の箱状である場合と比べて、棚部１６を使用者などに比較的薄く視覚させることができ、水栓装置１０のデザイン性を向上させることができる。制御部３０は、底板部６２の内底面６２ａの傾斜に沿って、前方から後方に向けて下方に傾斜する。
【００８９】
収納空間６６は、制御部３０の後端と連通部７０ａとの間に隙間ＧＰを設ける。換言すれば、制御部３０は、収納空間６６内において、連通部７０ａとの間に隙間ＧＰを空けた状態で、連通部７０ａよりも前方に配置される。
【００９０】
以上、説明したように、本実施形態に係る水栓装置１０では、収納空間６６と壁面ＷＳとの間に空気層７６を設けることができるため、壁面ＷＳに伝達された熱を収納空間６６内に伝達し難くさせることができる。これにより、収納空間６６内の制御部３０に高い熱が伝わったり、収納空間６６内に結露が生じたりすることを抑制することができる。機能部を制御する制御部３０を棚部１６内の収納空間６６に収納する場合に、壁面ＷＳを介する収納空間６６への熱の伝搬を抑制できる水栓装置１０を提供することができる。
【００９１】
また、水栓装置１０では、壁面ＷＳと離間するように収納空間６６が設けられていたとしても、配線部材８０を連通部７０ａを介して外部の空間へと通す際に、連通部７０ａと壁面ＷＳとの間でシールを行うことで、棚部１６の後端全体でシールを行う場合などと比べてシールに必要な面積を小さくすることができる。すなわち、連通部７０ａの後端面をシール面とすることができる。例えば、パッキン７８によって収納空間６６の水密性を適切に維持することができる。また、配線部材８０を通すための連通部７０ａを収納空間６６と壁面ＷＳとの間に位置する仕切り壁７０に設けることにより、配線部材８０を壁面ＷＳの裏側へと通し易くすることができる。
【００９２】
また、水栓装置１０では、制御部３０が、前方から後方に向けて下方に傾斜するように収納空間６６に配置されるため、制御部３０を水平方向と平行となるように収納空間６６に配置する場合などと比べて、水栓装置１０の前後方向の長さを短くすることができる。従って、機能部を制御する制御部３０を棚部１６内の収納空間６６に収納する場合に、棚部１６をコンパクト化できる水栓装置１０を提供することができる。
【００９３】
また、例えば、配線部材８０を連通部７０ａに通しやすくするために、制御部３０と連通部７０ａとを上下にずらして配置すると、水栓装置１０の上下方向の厚みが大きくなってしまう。一方、水栓装置１０の上下方向の厚みを抑えるために、制御部３０と連通部７０ａとが前後に重なるように配置すると、連通部７０ａの一部が制御部３０によって塞がれてしまい、配線部材８０を連通部７０ａに通し難くなってしまう。これに対して、この水栓装置１０では、連通部７０ａが、前後方向において制御部３０と重なる位置に配置され、かつ収納空間６６が、制御部３０の後端と連通部７０ａとの間に隙間ＧＰを設ける。これにより、水栓装置１０（棚部１６）の前後方向の長さ及び上下方向の厚みを大きくすることを抑制しながらも、配線部材８０を連通部７０ａを介して収納空間６６外に通し易くすることができる。
【００９４】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、水栓装置１０などが備える各要素の形状、寸法、材質、配置などは、例示したものに限定されるわけではなく適宜変更することができる。  
また、前述した各実施形態が備える各要素は、技術的に可能な限りにおいて組み合わせることができ、これらを組み合わせたものも本発明の特徴を含む限り本発明の範囲に包含される。
【符号の説明】
【００９５】
１０ 水栓装置、  １２ 吐水部、  １４ 操作部、  １６ 棚部、  ２０ 機能水吐出部、  ２２ 機能水照射部、  ２４ センサ部、  ２６ 機能水操作スイッチ、  ２７ 自動吐水切替スイッチ、  ２８ 温水準備スイッチ、  ３０ 制御部、  ３２ 電源回路、  ３４ 電磁弁、  ３５ 電磁弁、  ３６ 分岐金具、  ３８ 温度センサ、  ４０ 電磁弁、  ４２ 機能水生成部、  ４４ 照明部、  ４６ 光透過窓、  ５０ 止水栓、  ５１ 止水栓、  ６０ 天板部、  ６２ 底板部、  ６４ 内部空間、  ６６ 収納空間、  ７０ 壁、  ７０ａ 連通部、  ７２ カバー、  ７４ パッキン、  ７６ 空気層、  ７８ パッキン、  ８０ 配線部材、  ８２ 基板、  ８４ 支持体、  １００ 洗面化粧台、  １０２ 洗面器、  １０６ 支持台、  １０８ ミラーキャビネット、  １１０ 照明装置、  １２２ ボウル部、  １２４ バックガード部、  １３０ キャビネット本体、  １３１〜１３３ 扉
【図１】
2019148094.tif 000003
【図２】
2019148094.tif 000004
【図３】
2019148094.tif 000005
【図４】
2019148094.tif 000006
【図５】
2019148094.tif 000007